(57)【特許請求の範囲】
【請求項１】
開閉すべき開口部の上枠に設けられたレ−ルに吊台車によって可動に吊り下げられ且つ前記レ−ルに沿って移動される引戸を備え、前記開口部を閉じる閉鎖位置において前記開口部の縦枠及び前記上枠と前記引戸との間を気密材を挾んで封止するようになっている大型自動引戸装置において、
前記閉鎖位置において前記引戸をさらに前記枠側に移動するため前記引戸の各縦框の上端と下端の間に備えられた引き寄せ装置を含み、前記引き寄せ装置は前記縦枠側の対応位置に在る係止ピンに嵌合し得る鈎形の先端がある引き寄せア−ム及び前記引き寄せア−ムを回動及び前記引戸の面に垂直に移動する駆動装置からなり、さらに前記引戸の下框とその下の路面との間の隙間を塞ぐため前記引戸の下框に備えられ、前記引き寄せ装置が作動した後に作動する下部封止装置を含むことを特徴とする大型自動引戸装置。
【請求項２】
前記吊台車と前記引戸の上端は移動手段によって接続され、前記移動手段は傾斜して設置されたリニアガイドからなることを特徴とする請求項１に記載の大型自動引戸装置。
【請求項３】
前記開口部の閉鎖位置において前記引戸の上端を前記枠側に押す押圧装置を含み、前記押圧装置による押圧力が作用しない時は前記引戸は自重により前記開口部の枠側から離れた位置に在ることを特徴とする請求項１に記載の大型自動引戸装置。
【請求項４】
前記引き寄せ装置の駆動装置は前記引き寄せア−ムのその先端の反対側の半円のギヤとそれに続くラックと、それらの半円ギヤ及びラックにかみ合い且つ駆動体によって駆動されるギヤによって構成されることを特徴とする請求項１に記載の大型自動引戸装置。
【請求項５】
前記下部封止装置の気密材はその下降位置では前記引戸の面とほぼ面一になるように斜めに上下移動されることを特徴とする請求項１に記載の大型自動引戸装置。
【発明の詳細な説明】
【０００１】
【発明の属する技術分野】
本発明は例えば大きな劇場又は大ホ−ルなど外部の騒音を遮断する必要がある建造物の出入口に設置される大型の自動開閉操作される引戸装置に関する。
【０００２】
【従来の技術】
従来、この種の自動引戸装置として、例えば特公平２−８１１４号公報に示すものが知られており、また気密室用の扉装置として実用新案登録第３０１１６９３号が知られている。この自動引戸装置は枠で画成された開口部を開閉する引戸と、その引戸を吊台車を介して可動に吊下げ支持するレ−ル及び開口部を閉じる閉鎖位置において枠材と引戸の間を気密材を挾んで封止するため引戸を枠側に移動する手段を含む。
【０００３】
引戸は吊台車によって垂直に懸吊され、開口部の閉鎖位置において引戸の上端を枠側に移動することによって引戸の全体が枠側に接触するが、引戸の上端以外は単に接触するだけであるため、枠材、特に縦枠との間に隙間を生じ、封止が不完全になる。そのため、引戸の縦框と縦枠を気密材を挾んで互に密着させるため縦框の上端と下端の間に適当数の電磁石を設け、且つ開口部の枠材が非磁性材であれば該磁石に対応する位置に磁性材を設け、電磁石の付勢によって引戸を枠材に引き寄せることが行なわれた。
【０００４】
又は、開口部を閉じる閉鎖位置における引戸の縦框に対応する引戸の前面に支柱が設置され、該支柱に設けられた適当数の油圧シリンダ等からなる押圧装置によって引戸を開口部の枠材に押圧することが行なわれた。
【０００５】
【発明が解決しようとする課題】
従来技術において開口部の枠材に引戸を密着させるため枠材に対し引戸を電磁石で引き寄せる装置では、引戸が閉鎖位置に在る間は各電磁石を付勢し続ける必要があり、従って開閉を頻繁にくり返す所では相応の利点があるが、長時間閉じられた状態に置かれるものでは電力の消費量が大きく、且つまた長い時間にわたり付勢し続けることは早期に摩耗させる傾向がある。又、押圧装置を備えた支柱を引戸の前面に設置する構成では、支柱の設置によりコスト高になり、開口部を通しての通行の邪魔になり且つ外観上も好ましくない、等の問題点があった。
【０００６】
本発明の目的は上記従来技術の問題点を解消することであって、それ故、比較的単純な構成を有し、消費エネルギ−も少なくてすみ、気密性にすぐれ、外部からの騒音を適切に遮断し得る大型自動引戸装置を提供することである。
【０００７】
【課題を解決するための手段】
上記本発明の目的を達成するため、本発明による大型自動引戸装置は、開閉すべき開口部の上枠に設けられたレ−ルに吊台車によって可動に吊り下げられ且つ前記レ−ルに沿って移動される引戸を備え、前記開口部を閉じる閉鎖位置において前記開口部の縦枠及び前記上枠と前記引戸との間を気密材を挾んで封止するようになっている自動引戸装置において、前記開口部の閉鎖位置において前記引戸をさらに前記枠側に移動するため前記引戸の各縦框の上端と下端の間に備えられた引き寄せ装置を含み、前記引き寄せ装置は前記縦枠側の対応位置に在る係止ピンに嵌合し得る鈎形の先端がある引き寄せア−ム及び前記引き寄せア−ムを回動及び前記引戸の面に垂直に移動する駆動装置からなり、さらに前記引戸の下框とその下の路面との間の隙間を塞ぐため前記引戸の下框に備えられ、前記引き寄せ装置が作動した後に作動する下部封止装置を含むことを特徴としている。
【０００８】
本発明の好ましい態様では、前記吊台車と引戸の上端は移動手段によって接続され、前記移動手段は傾斜して設置されたリニアガイドからなることを特徴としている。
又、別の好ましい態様では、前記吊台車と前記引戸の上端は傾斜軸からなるスライダを介して接触され、前記開口部の閉鎖位置において引戸の上端を前記開口部の枠側に押す押圧装置を含み、前記押圧装置による押圧力が作用しない時は前記引戸は自重により前記枠側から離れた位置に在ることを特徴としている。
【０００９】
本発明の他の好ましい態様では、前記引き寄せ装置の駆動装置は前記引き寄せア−ムのその先端の反対側の半円のギヤとそれに続くラックと、それらの半円ギヤ及びラックにかみ合い且つ駆動体によって駆動されるギヤによって構成されることを特徴としている。
本発明のさらに他の好ましい態様では、前記下部封止装置の気密材はその下降位置では前記引戸の面とほぼ面一になるように斜めに上下移動されることを特徴としている。
【００１０】
【発明の実施の形態】
次に図面を参照のもとに本発明の実施の形態に関し説明する。本発明による大型自動引戸装置の好ましい形態では、開閉すべき開口部２の上枠に設けられたレ−ル４に吊台車５によって可動に吊り下げられ且つ前記レ−ルに沿って移動される引戸１を備え、この引戸の上端と吊台車５とはリニアガイド等の移動手段１３で接続され、前記開口部を閉じる閉鎖位置において該開口部の縦枠及び上枠と引戸１との間を気密材１１、１２を挾んで封止するため引戸１を開口部２の枠側に移動する押圧装置１４を含む。
【００１１】
閉鎖位置においてさらに引戸１を開口部の枠側に引き寄せるため引戸１の各縦框の上端と下端の間に備えられた引き寄せ装置を含み、各引き寄せ装置は開口部の縦枠の対応位置に在る係止ピンに嵌合し得る鈎形の先端のある引き寄せア−ム及び該引き寄せア−ムを回動及び引戸１の面に垂直に移動する駆動装置を含む。
【００１２】
さらに引戸１の下框とその下の路面との間の隙間を塞ぐための下部封止装置が備えられ、その気密材はその下降位置では引戸１の面とほぼ面一になるように斜めに上下移動される。閉鎖時、押圧装置１４によって引戸１が開口部２の枠側に移動された後に引き寄せ装置が作動して引戸を枠側に引き寄せ、次いで下端の封止を行なう。開く際はその逆の手順で作動する。
【００１３】
図１及び図２に示すように、この大型自動引戸装置の引戸１は上部で懸吊されて移動する型式であって、そのため開閉すべき開口部２の上部を画成する上枠３にレ−ル４が水平に設置され、そのレ−ル上を走行するようになっている吊台車５二つが引戸１の上端に固定され、該吊台車によって引戸１が可動に吊下げられている。引戸１の移動は図示の例では、両端の鎖車６ａ、６ｂに掛けられた無端チェ−ン７とその駆動モ−タ８によって行なわれるが、場合によっては油圧シリンダなど、他の方式で行なってもよい。
【００１４】
この引戸１は通路上の開口部２を開閉するものであって、従って開口部２の下辺は路面９になっており、下枠は設けられない。そのため図１及び図３に示すように、引戸１の下端と路面９との間には若干の隙間が在る。開口部２の両側の縦枠１０の見付面にはそれぞれ気密材１１が配置され、また上枠３にも気密材１２（図５）が配置され、開口部２を閉じる閉鎖位置において上枠３及び縦枠１０と引戸１との間をそれらの気密材により封止するように構成される。
【００１５】
引戸１と開口部２の枠材との間を封止するため引戸１は開口部２の枠側に移動され、そのため引戸１の上部に適当な移動手段が設けられる。好ましくは図５に示すように、吊台車５と引戸１の上端はスライダ−などの移動手段１３によって接続され、且つ閉鎖位置において引戸１を枠側に押す押圧装置１４が備えられている。
【００１６】
この移動手段１３は外力が作用しない際は引戸１の自重で開口部２の枠材から離れるように移動するため好ましくは傾斜して設置されたリニアガイドからなる。図６はそのようなリニアガイドの一例を示すものであって、レ−ル４の支持枠４ａに固定される固定部１３ａと球１３ｂを介してその上に可動に備えられたスライダ−部１３ｃからなり、該スライダ−部に引戸１の上端が取付けられる。引戸１のその面に垂直方向の移動はレ−ル４の支持枠４ａに設けられたストッパ１５によって限定される。
【００１７】
又、押圧装置１４は図５に示すように、先端にロ−ラ１６ａの付いた枢止ア−ム１６と該ア−ムをその支点１６ｂを中心に回動する駆動部からなり、該駆動部としては好ましくはパワ−シリンダ１７が備えられ、パワ−シリンダ１７の機動軸先端がア−ム１６の一端に連結される。引戸１の上部にはア−ム１６の衝合を受ける衝合部１ａが在る。なお、この押圧装置１４は他の機構又は装置で構成してもよいことは云うまでもない。
【００１８】
このような移動手段１３と押圧装置１４により、引戸１はレ−ル４上を移動して開口部２を閉じる閉鎖位置に到ると、パワ−シリンダ１７の作動によりア−ム１６を回動し、ロ−ラ１６ａが引戸１の衝合部１ａに衝合して引戸１を開口部２の枠側に押し、開口部２との間に気密材１１、１２を挾んで封止する。開口部２を開放する際はパワ−シリンダ１７によりア−ム１６を逆方向に回動し、引戸１を開口部２の枠材から自重で移動して離す。なお、この引戸１の移動は他の手段で行なってもよく、例えばレ−ルをわん曲させることにより、又は押圧装置の代わりにガイド手段を設けること等によっても可能である。
【００１９】
この引戸装置では押圧装置１４によって引戸１の上端を押して開口部２に付着し、さらに引戸１を開口部２に密着するため引戸１の各縦框の上端と下端の間に適当数の引き寄せ装置１８が設けられ、好ましくは図３に示すように、各縦框に複数の引き寄せ装置１８が設けられる。
【００２０】
各引き寄せ装置１８は図７及び図８に示すように、引き寄せア−ム１９及び引き寄せ装置１８に対応する縦枠１０の位置に設けられた係止ピン２０、及び引き寄せア−ム１９の駆動装置２１からなる。引き寄せア−ム１９はその先端１９ａが鈎形になっており、引き寄せア−ム１９の回動によりその先端が図７に示すように、係止ピン２０に嵌合し得るようになっている。
【００２１】
駆動装置２１としては通常、モ−タが用いられ、そのモ−タ軸に又は適当な伝動装置を介して該モ−タで駆動される軸にギヤ２２が設けられ且つ引き寄せア−ム１９の先端１９ａの反対側の端部に前記ギヤ２２にかみ合う半円ギヤ１９ｂ及びラック１９ｃが設けられている。
【００２２】
従って、引き寄せア−ム１９は駆動装置２１によって上方から下方に回動して係止ピン２０に嵌合し且つ該ア−ム１９を引戸１の面に垂直に移動することによって、引戸１が開口部２の縦枠１０に引き寄せられるようになっている。開放時はその逆の動作が行なわれる。なお、所望により、引き寄せア−ム１９の回動及び直線移動は他の機構で行なってもよいことは云うまでもない。
【００２３】
さらに、この引戸装置では図９ないし図１１に示すように、引戸１の下端たる下框と路面９との間の隙間を塞ぐため該下框に下部封止装置２３が備えられ、この下部封止装置２３としては例えば実公平４−１５９１３号公報に示す装置を用いることができる。図示の例では、その公報に開示されたものに類似の装置が用いられ、その気密材２４は軸線方向に若干可動の操作軸２５を介して「く」の字状に配置されたリンク２６によってこの封止装置２３の本体に上下可動に連結されている。
【００２４】
この封止装置には操作軸２５の一端に連結されたモ−タからなる駆動部２７が備えられ、該駆動部により操作軸２５をその軸線方向に移動することによって気密材２４が上下に移動される。この例では図１０に示すように、操作軸２５が図において右方に移動されると気密材２４は上昇位置に在って路面９から離れ、また操作軸２５が左方に移動されると図１１に示すように、気密材２４は下降して路面９との間の隙間を塞ぐ。好ましくは、気密材２４は図９に示すように、下降位置では引戸１の面とほぼ面一になるように斜めに設置されて斜めに上下移動される。
【００２５】
開口部２を閉じる際は閉スイッチをオンすることにより、モ−タ８が作動して引戸１を移動し、開口部２を閉じる位置に到ると適当なセンサ、例えばリミットスイッチの作動により押圧装置１４が作動し、引戸１の上端を押して開口部２に接触する。次いでそのことを他のセンサで感知し、引き寄せ装置１８が作動し、引き寄せア−ム１９が回動して係止ピン２０に嵌合し、次いで該ア−ム１９を引き寄せることによって引戸１を開口部２の枠に気密材を挾んで密着する。このように引戸１が密着したことにより引き寄せ装置の動力はオフになり、リレ−回路によって下部封止装置の駆動部２７を作動してその気密材２４を下降し、引戸１の下端と路面９の間を封止する。
【００２６】
引戸１で閉じられた開口部２を開くには開スイッチをオンすれば、上記とは逆の動作で、即ち気密材２４が先ず上昇して引戸１の下端の封止を解き、次いで引き寄せ装置１８の作動により引き寄せア−ム１９が後退及び上方に回動して係止ピン２０から外れ、引き寄せア−ム１９は引戸１の縦框内に収められる。次いで押圧装置１４のパワ−シリンダ１７によりそのロ−ラ１６ａを後退して引戸１をその自重により開口部２から離し（図４の状態）、引戸１を開口部２から外れた位置に移動する。このような開閉動作は適当なセンサ及び制御系により、閉スイッチ及び開スイッチの操作によって自動的に行なわれる。
【００２７】
【発明の効果】
上記のように、本発明によれば、開口部に対する引戸の密着は動力を負荷しないで保持されるので、エネルギ−の浪費が避けられ、且つまた引戸に備えられた引き寄せ装置で密着されるので、開口部の前面に密着用の支柱等を設ける必要もなく、それ故、外観上好ましく且つ通行の邪魔になることもない。
【００２８】
吊台車と引戸の上端を傾斜設置されるリニアガイドで接続する構成を採れば、その接続部の構成を単純化し且つ押圧装置により引戸の移動を適切に行なうことができる。
【００２９】
又、閉鎖位置において引戸の上端を押圧装置で開口部の枠側に押して密着し、及びその押圧力が作用しない際は引戸は自重により前記枠側から離れた位置に在るように構成することにより、引戸の開閉移動及び開口部への引戸の移動を単純な構成で可能にし、又その際、引戸が擦れることもなく、且つ大型引戸の操作を容易にする。
【００３０】
引き寄せ装置の駆動を半円ギヤとラック及び駆動体で駆動されるギヤで行なえば、引き寄せア−ムの回動及び直線移動を単純な構成で可能にし、性能上好ましいものになる。
【００３１】
下部封止装置の気密材を斜めに上下移動し、その下端位置で引戸の面と面一になるように構成すれば、閉じた状態で縦枠の気密材を圧接するので気密性が好ましいものになる。
【図面の簡単な説明】
【図１】本発明による大型自動引戸装置の一例を示す正面図である。
【図２】図１に示す引戸装置の概略的な平面図である。
【図３】その引戸が開口部に引き寄せられた状態を示す側面図である。
【図４】引戸が開口部から後退した状態を示す側面図である。
【図５】引戸上端の部分を例示する側面図である。
【図６】吊台車と引戸上端を接続する移動手段の一例を示す正面図である。
【図７】この引戸装置で用いられる引き寄せ装置の一例の側面図である。
【図８】図７に示された引き寄せ装置の平面図である。
【図９】引戸の一例の下端を示す縦断面図である。
【図１０】引戸の下框に備えられる下部封止装置を例示する正面図である。
【図１１】図１０の下部封止装置の気密材が下降した状態を示す正面図である。
【符号の説明】
１：引戸、２：開口部、３：上枠、４：レ−ル、５：吊台車、９：路面、１０：縦枠、１１、１２：気密材、１３：移動手段、１４：押圧装置、１８：引き寄せ装置、１９：引き寄せア−ム、２０：係止ピン、２１：駆動装置、２３：下部封止装置
【図１】
0003583224.tif 000002
【図２】
0003583224.tif 000003
【図３】
0003583224.tif 000004
【図４】
0003583224.tif 000005
【図５】
0003583224.tif 000006
【図６】
0003583224.tif 000007
【図７】
0003583224.tif 000008
【図８】
0003583224.tif 000009
【図９】
0003583224.tif 000010
【図１０】
0003583224.tif 000011
【図１１】
0003583224.tif 000012